(57)【要約】【課題】歯科治療において、ハンドピース内の振動体に取り付けて、歯根や顎骨、歯槽骨、不良歯肉等を振動によりカットするのに好適な歯科用チップを提供する。【解決手段】歯科用チップ１０は、振動体１に着脱自在に連結され、該振動体１によって振動される。チップ１０の先端部側における作業部１０ｃは、その横断面形状の両端部においてエッジ部１０ｃ２を有し、該エッジから中心部に向う部分に凹状の逃げ部１０ｃ１を有する。【選択図】図１
2006305226.tif 000002
【特許請求の範囲】
【請求項１】
振動体に着脱自在に連結され、該振動体によって振動される歯科用チップであって、該チップの先端部側における作業部は、その横断面形状の両端部においてエッジを有し、該エッジはその突出方向が逆方向であることを特徴とする歯科用チップ。
【請求項２】
前記チップの作業部横断面形状は、前記エッジから中心部に向う部分において、前記エッジの突出側に凹状の曲げ部分を有することを特徴とする請求項１に記載の歯科用チップ。
【請求項３】
前記チップの作業部横断面形状は、該チップの中心に対して１８０°の回転対称に形成されていることを特徴とする請求項１又は２に記載の歯科用チップ。
【請求項４】
前記チップの作業部横断面形状は、該チップの中心に対して１８０°の回転対称に形成されたゆるやかなＳ形であることを特徴とする請求項１又は２又は３に記載の歯科用チップ。
【発明の詳細な説明】
【技術分野】
【０００１】
本発明は、歯科用チップ、より詳細には、歯科治療において、振動子を有するハンドピースに取り付けて、歯根、顎骨、歯槽骨、不良歯肉等をカットするのに好適な歯科用チップに関する。
【背景技術】
【０００２】
歯科治療においては、歯石の除去、根面の平滑化（Ｒｏｏｔ  Ｐｌａｉｎｎｉｎｇ）等を行うために、最近では、一般的に、振動子を用いたハンドピースを使用している。
【０００３】
図３は、振動子を用いたハンドピースの例としての周知の超音波スケーラの一例を説明するための要部断面構成図で、図中、１は振動子（超音波振動子、エアー振動子、電動（モータ）振動子等、周知の任意所望の振動子）、２は振動子１を内蔵するハンドピースハウジングで、前記振動子１は該ハンドピースハウジング２内に収納され、これらによって振動ハンドピースを構成し、該ハンドピースの振動子１にチップ３が着脱自在に装着され、該チップ３が前記振動子１によって振動されて歯石の除去等が行われる。
【０００４】
図４は、前記チップ３を前記振動子１に着脱自在に取り付ける機構の一例を説明するための図で、振動子１は、先端部に雌ネジ１ａが形成されており、チップ３は、先端部（振動子１に接合される側）に前記雌ネジ１ａに螺合する雄ネジ３ａを有し、図示しないレンチ等の着脱工具をチップ３の段部３ｂに係合させて、チップ３を振動子１に着脱自在に螺合し、締め付けて固定するようになっている。
【発明の開示】
【発明が解決しようとする課題】
【０００５】
チップ３の先端部（刃部）３’の形状は、その使用目的に応じて種々提案されており、例えば、手用スケーラでは、鎌形、鍬形、のみ型、匙形、やすり形等のものが提案されている。しかし、超音波スケーラチップは、そのほとんどが、図３及び図４に示したように、チップ３の先端部３’でのみしか作業することができず、その適用範囲が限られ、例えば、歯根や顎骨、歯槽骨、更には、不良歯肉をカットするには不向きであった。
【０００６】
本発明は、上述のごとき実情に鑑みてなされたもので、特に、振動子により振動されるチップの作業面を工夫して、歯根や顎骨、歯槽骨、不良歯肉を切除するのに好適な形状を有するチップを提供することを目的としてなされたものである。
【課題を解決するための手段】
【０００７】
請求項１の発明は、振動体に着脱自在に連結され、該振動体によって振動される歯科用チップであって、該チップの先端部側における作業部は、その横断面形状の両端部においてエッジを有し、該エッジはその突出方向が逆方向であることを特徴としたものである。
【０００８】
請求項２の発明は、請求項１の発明において、前記チップの作業部横断面形状は、前記エッジから中心部に向う部分において、前記エッジの突出側に凹状の曲げ部分を有することを特徴としたものである。
【０００９】
請求項３の発明は、請求項１又は２の発明において、前記チップの作業部横断面形状は、該チップの中心に対して１８０°の回転対称に形成されていることを特徴としたものである。
【００１０】
請求項４の発明は、請求項１又は２又は３の発明において、前記チップの作業部横断面形状は、該チップの中心に対して１８０°の回転対称に形成されたゆるやかなＳ形であることを特徴としたものである。
【発明の効果】
【００１１】
本発明による歯科用チップは、振動体に着脱自在に連結され、該振動体によって振動され、歯槽骨等をカットする作業部に、その横断面形状の両端部においてエッジを設け、具体的には、該エッジの突出方向を前記両端部で逆方向とし、該エッジからチップの中心部に向う部分で該エッジの突出方向側に凹状の曲げ部（逃げ部）を有するようにしたので、歯槽骨等のカット時に被カット骨との接触が小さく、食い込みを防止することができ、また、両端ではエッジがたっているため切削効率が良い。
【発明を実施するための最良の形態】
【００１２】
図１は、本発明による歯科用チップを従来より周知のハンドピースに適用した場合の一例を説明するための図で、図１（Ａ）は全体構造を示す側面図、図１（Ｂ）は図１（Ａ）のＢ−Ｂ線断面図（チップ作業部の横断面図）、図１（Ｃ）は図１（Ｂ）の拡大図、図１（Ｄ）は本発明によるチップを用いて歯牙や歯槽骨Ｔをカットしている時の状態を示す図、図（Ｅ）は図（Ｄ）のカット部拡大図である。図１において、１０は本発明による歯科用チップで、１０ａ部は振動子と螺合するためのねじ部、１０ｂはチップ１０を振動子に螺着する時に用いるレンチを係合させるレンチ係合部で、図３及び図４にて説明したように、該レンチ係合部１０ｂにレンチを係合させ、該レンチにてチップ１０を回転してチップ１０のねじ部１０ａを振動子のねじ部に締め付けて固定する。
【００１３】
図１において、１０ｃは作業部（刃部）で、該作業部１０ｃは、振動子が駆動された時に、図１（Ｂ）に矢印Ｈで示す方向に振動する。作業部１０ｃは、好ましくは、図１（Ｃ）の拡大断面図で示すように、断面がゆるやかなＳ形状に形成されており、これにより、逃げ部１０ｃ１が形成され、図１（Ｄ），図１（Ｅ）に示すようにして、歯牙又は歯槽骨Ｔをカット線Ｌに沿ってカットする。而して、本発明による歯科用チップによると、エッジ部１０ｃ２以外の点では、カットされる歯牙や歯槽骨Ｔに接触しないので、効果的に歯牙や歯槽骨をカットすることができる。
【００１４】
図１に示したチップ１０は、作業部１０ｃの横断面形状をほぼＳ形にして逃げ部１０ｃ１を設けたものであるが、この形状は、Ｓ形に限定されたものではなく、どのような形状でもよい。
【００１５】
図２は、本発明による歯科用チップの他の実施例を示す横断面図で、基本的には、図２（Ａ）に示すように、中央部１０ｄを直線状とし、その両端側において、エッジ１０ｃ２，１０ｃ２を反対向（１８０°異ならせる方向）に向けるようにする（中心点Ｐに対して、回転対称にする）。図２（Ｂ）は、本発明による歯科用チップの他の形状を示す図で、この例は、１０ｄ，１０ｄ’からなる凸状外郭を有するＰ点対称の部材の１０ｄ’を凹部に加工して、凹部１０ｅとしたもので、このようにしてもエッジ部１０ｃ２を効果的に作成することができる。
【図面の簡単な説明】
【００１６】
【図１】本発明を従来より周知のハンドピースに適用した場合の一例を説明するための図である。
【図２】本発明による歯科用チップの他の例を説明するための図である。
【図３】振動子を用いたハンドピースの例としての周知の超音波スケーラの一例を説明するための要部断面構成図である。
【図４】超音波振動子とスケーラチップとの着脱機構の一例を説明するための図である。
【符号の説明】
【００１７】
１…振動子、１ａ…雌ネジ、２…ハンドピースハウジング、３…チップ、３ａ…雄ネジ、３ｂ…段部、３’…先端部、１０…チップ、１０ａ…ねじ部、１０ｂ…レンチ係合部、１０ｃ…作業部（刃部）、１０ｃ１…逃げ部、１０ｃ２…エッジ部。
【図１】
2006305226.tif 000003
【図２】
2006305226.tif 000004
【図３】
2006305226.tif 000005
【図４】
2006305226.tif 000006